(57)【要約】【課題】  簡易な構造によって混合装置への泡原液の供給量を調整可能な混合装置を提供する。【解決手段】  本体が筒状であり、一次側は給水源と接続され、二次側が発泡装置と接続されており、本体の途中に泡原液供給口１１を有する泡混合装置３において、泡原液供給口１１付近の本体内壁に沿って移動可能な筒１４が設けられ、該筒１４は側面にオリフィス１５を有しており、混合装置３に流入される水量によって移動可能であり、オリフィス１５を通過して筒１４内に供給される泡原液の量を制御可能である。【選択図】    図２
2006223527.tif 000002
【特許請求の範囲】
【請求項１】
本体が筒状であり、一次側は給水源と接続され、二次側が発泡装置と接続されており、本体の途中に泡原液供給口を有する泡混合装置において、泡原液供給口付近の本体内壁に沿って移動可能な泡原液供給制御手段が設置されていることを特徴とする泡混合装置。
【請求項２】
前記泡混合装置において、泡原液供給制御手段とは、側面にオリフィスを有し本体内径よりも小径である筒であり、該筒は混合装置に流入される水量によって移動可能であり、オリフィスを通過して筒内に供給される泡原液の量を制御可能であることを特徴とする請求項１記載の混合装置。
【請求項３】
前記泡混合装置において、オリフィスの形状が楔形あるいは滴形になっていることを特徴とする請求項２記載の泡混合装置。
【請求項４】
前記泡混合装置において、筒の側面に穿設されているオリフィスの数が、混合装置の流入側に向かうに従い段階的に増加されていることを特徴とする請求項２記載の泡混合装置。
【発明の詳細な説明】
【技術分野】
【０００１】
本発明は、泡消火設備における水と泡原液とを混合するための泡混合装置に関するものである。
【背景技術】
【０００２】
泡消火設備に使用される混合装置は、水と泡原液とを所定の比率で混合するものであり、一次側は水供給手段と接続し、二次側は複数の泡ヘッドが設置された配管と接続されている。図６に示すように混合装置は筒状であり内部が空洞となっており、中間部分にオリフィスＯＲが設けられ、該オリフィスＯＲの二次側に泡原液が貯蔵されているタンクと接続している分岐管Ｐが存在する。
【０００３】
混合装置の一次側に接続された給水配管は分岐しており、一方が混合装置と接続され、他方はタンクと接続されている。タンク内には泡原液が充填された袋が収容されており、タンク内に水が流入すると、水の圧力によって袋内の泡原液が押出され、混合装置の分岐管Ｐに供給される構造になっている。
【０００４】
上記の泡混合装置は、一つのオリフィスＯＲによって混合比率をコントロールしているので、流量が多くなるに従い水と泡原液との混合比率も上昇する傾向がある。従って、所定範囲の混合比率が得られる流量範囲がオリフィス径によって限定されることになる。
【０００５】
上記の問題の解決策として、オリフィス径の異なる混合装置を複数備えており、さらに混合装置の二次側に流量検出器を設けて、該流量検出器の信号により、流量に見合った混合装置を選択・切換可能なものがある（例えば、特許文献１参照。）。
【０００６】
【特許文献１】特開平１−１１５７０号公報
【発明の開示】
【発明が解決しようとする課題】
【０００７】
しかしながら、特許文献１においては、複数の混合装置を設置しなければならず、設備コストの高額化および設備の設置スペースの確保の問題や、さらに流量を検出し流量値によって混合装置を切り替えるという制御の複雑化が懸念されるものであった。
【０００８】
そこで本発明では、上記問題に鑑み、簡易な構造によって混合装置への泡原液の供給量を調整可能な混合装置の提供を目的とする。
【課題を解決するための手段】
【０００９】
上記の目的を達成するために、請求項１記載の発明は、本体が筒状であり、一次側は給水源と接続され、二次側が発泡装置と接続されており、本体の途中に泡原液供給口を有する泡混合装置において、泡原液供給口付近の本体内壁に沿って移動可能な泡原液供給制御手段が設置されている泡混合装置である。
【００１０】
請求項２記載の発明は、前記泡混合装置において、泡原液供給制御手段とは、側面にオリフィスを有し本体内径よりも小径である筒であり、該筒は混合装置に流入される水量によって移動可能であり、オリフィスを通過して筒内に供給される泡原液の量を制御可能である請求項１記載の混合装置である。
【００１１】
請求項３記載の発明は、前記泡混合装置において、オリフィスの形状が楔形あるいは滴形になっている請求項２記載の泡混合装置。
【００１２】
請求項４記載の発明は、前記泡混合装置において、筒の側面に穿設されているオリフィスの数が、混合装置の流入側に向かうに従い段階的に増加されている請求項２記載の泡混合装置である。
【発明の効果】
【００１３】
本発明によれば、泡原液供給口付近に設けた泡原液供給制御手段である側面にオリフィスを有する筒であり、該筒が本体一次側より流入してくる水の圧力によって二次側方向に移動することで、泡原液供給口から流入した泡原液が、筒の側面に設けられたオリフィスから筒内に流入して泡原液の量を制御することで、水と泡原液の混合比率が所定の比率になるようにしている。
【００１４】
オリフィスの形状を楔形あるいは滴形にすることで、混合装置に流入される水の量が少ない場合には楔形をしたオリフィスの先端部分のみ泡原液が通過し、水の流入量が多い場合には筒と本体との間に介在された弾発体の力に抗して筒が二次側の方向に移動され、オリフィスの通過面積が大きくなり、水の流入量に見合った泡原液が筒内に供給される構造となる。
【００１５】
また、上記と同様の効果を得るために、筒の側面に穿設されるオリフィスの数を、混合装置の流入側に向かうに従って段階的に増加させることで、混合装置に流入される水の量が少ない場合には穿設されたオリフィスの数が少ないので少量の泡原液が筒内に供給される。水の流入量が多い場合には筒が二次側の方向に移動され、泡原液供給口にオリフィスの数が多い部分が位置されるので、水の流入量に見合った泡原液が筒内に供給される。
【実施例】
【００１６】
以下、この発明の実施例を図１から図４を参照して説明する。図１は本発明の混合装置が設置された泡消火設備の系統図、図２は混合装置の断面図、図３はオリフィス形状を表す図、図４は流量と混合比の関係を表したグラフである。
【００１７】
図１に示す泡消火設備は、水源１、泡原液タンク２、混合装置３、流水検知装置４、一斉開放弁５、泡ヘッド６から構成されている。
【００１８】
水源１は、泡原液と混合するための水が貯蔵されている水槽である。該水槽の水を火元付近の泡ヘッド６まで送水するために吸水管７にはポンプ８が設置され、ポンプ８の二次側には泡原液タンク２および混合装置３と接続されている。
【００１９】
泡原液タンク２は、泡原液を貯蔵しているものであり、泡原液は泡原液タンク２内に設置された袋９内に充填されている。袋９は泡原液タンク２上部の配管１０に接続され、該配管１０は混合装置３の泡原液供給口１１と接続されている。
【００２０】
ポンプ８より送られてきた水は、泡原液タンク２と接続された配管１２から泡原液タンク２内に流入すると、流入された水によって袋９が押圧され、袋内の泡原液が配管１０に流出して混合装置３の泡原液供給口１１に送られる。
【００２１】
混合装置３は、筒状をしており一次側はポンプ８と接続され、二次側は流水検知装置４、一斉開放弁５、泡ヘッド６が設置された配管１３に接続している。
【００２２】
混合装置３の内部は、前述の泡原液供給口１１の付近に、泡原液供給制御手段として筒１４が設置されており、該筒１４の側面には滴形をしたオリフィス１５が複数穿設されている。筒１４において水の流入側の端には、内側フランジ１６が形成されている。また、混合装置３の内部には段部１７が形成され、段部１７と筒１４の内側フランジ１６との間には弾発体１８が介在している。
【００２３】
混合装置３の泡原液供給口１１の内周面には、環状溝１９が形成されている。配管１０から泡原液供給口１１に泡原液が供給されると、環状溝１９内に充填され、各々のオリフィス１５を通過して筒１４内部に流入される構造となっている。
【００２４】
図３はオリフィス１５を混合装置３の内側から見た図である。静水状態において、筒１４は弾発体１６によって所定の位置に配置されており、オリフィス１５と環状溝１９との位置関係は、図３（ａ）に示すようにオリフィス１５の楔形の先端部分が環状溝１９と重なった状態になっており、配管１０より送られてきた泡原液は、オリフィス１５と環状溝１９とが重なった部分の開口Ａ１を通過して混合装置３内に供給される。
【００２５】
ポンプ８が起動して混合装置３内に加圧された水が流入してくると弾発体１６の力に抗して筒１４が二次側に移動する。それに従いオリフィス１５と環状溝１９との位置関係も変化し、図３（ｂ）に示すオリフィス１５と環状溝１９とが重なった部分の開口Ａ２を通過して混合装置３内に供給される。
【００２６】
このように、静水状態においては泡原液タンク２から配管１０を通って混合装置３内に供給される泡原液量は制限され、ポンプ８の起動によって加圧水が混合装置３内に送られてくると筒１４が移動してオリフィス１５の通過面積が広くなり一次側より送られてきた水量に見合った泡原液が供給され、泡原液と水の混合比率が所定の比率になる。
【００２７】
図４は、混合装置における流量と混合比の関係を表したグラフであり、横軸は流量（Ｌ／ｍｉｎ）縦軸は混合比（％）となっている。グラフ内において破線で描かれたものは図６に示す従来品による混合装置の特性であり、混合装置の混合比が３％から４％の間で使用するように設定された場合、使用可能な流量範囲は、１２００〜２０００（Ｌ／ｍｉｎ）となっている。対して実線で描かれたものは本発明の混合装置であり、混合比が３％から４％の間で使用可能な流量範囲は、１０００〜３０００以上（Ｌ／ｍｉｎ）となり、使用流量範囲が大幅に拡大されている。
【００２８】
流水検知装置４は、流水検知装置４の二次側に接続されている一斉開放弁５の作動による流水を検知して信号を出力する装置である。一斉開放弁５は、二次側に泡ヘッド６が接続され、該泡ヘッド６の放射エリア内に設置された感知ヘッド２０が一斉開放弁５の制御室に接続されている。感知ヘッド２０が火災によって作動すると、制御室内の水が感知ヘッド２０から流出して一斉開放弁５が開放されるものである。流水検知装置４、一斉開放弁５、泡ヘッド６の構造についての説明は省略する。
【００２９】
次に、上記の泡消火設備の作動について説明する。
【００３０】
上記における泡消火設備の警戒状態において、一斉開放弁５の一次側配管までは充水状態にある。泡ヘッド６および感知ヘッド２０が設置されている放射エリア内で火災が発生すると、感知ヘッド２０が火災の熱によって作動し、一斉開放弁５の制御室内の水が感知ヘッド２０から流出して一斉開放弁５が開放する。
【００３１】
一斉開放弁５の開放により、流水検知装置４の二次側に流水が生じ、該流水を流水検知装置４が検知して信号が出力される。信号によってポンプ８が起動され、水源１の水が送水される。
【００３２】
ポンプ８より送水された水は、泡原液タンク２および混合器３内に流入される。泡原液タンク２内に流入した水は、泡原液タンク２内の泡原液が充填された袋９を押圧して配管１０より混合器３の泡原液供給口１１へ泡原液が供給される。
【００３３】
一方、混合器３内に流入した水は、水流によって筒１４を二次側方向に移動させ、前述の泡原液供給口１１よりオリフィス１５を通過して流入された泡原液と混合され、所定の混合比率により混合された泡水溶液が流水検知装置４、一斉開放弁５を通過して泡ヘッド６に供給される。
【００３４】
泡ヘッド６に供給された泡水溶液は、発泡した状態で火炎に放射され、油やガソリン等の燃料表面を覆い、酸素の供給を遮断して窒息消火させるものである。
【００３５】
本発明の他の実施形態として、図５に示すように筒１４の側面に穿設されるオリフィス２１の数を段階的に増やしていき、混合装置３に流入する水量が少ない場合にはオリフィス２１の数が少ない部分から泡原液が供給され、水量が多い場合にはオリフィス２１の数が多い部分から泡原液が供給される構造にすることも可能である。
【図面の簡単な説明】
【００３６】
【図１】本発明の混合装置が設置された泡消火設備の系統図
【図２】混合装置の断面図
【図３】オリフィスを混合装置の内側から見た図
【図４】流量と混合比の関係を表したグラフ
【図５】本発明の他の実施形態の断面図
【図６】従来の混合装置の断面図
【符号の説明】
【００３７】
１  水源
２  泡原液タンク
３  混合装置
４  流水検知装置
５  一斉開放弁
６  泡ヘッド
１４  筒
１５、２１  オリフィス
１８  弾発体
１９  環状溝
２０  感知ヘッド
【図１】
2006223527.tif 000003
【図２】
2006223527.tif 000004
【図３】
2006223527.tif 000005
【図４】
2006223527.tif 000006
【図５】
2006223527.tif 000007
【図６】
2006223527.tif 000008
【手続補正書】
【提出日】平成18年1月11日(2006.1.11)
【手続補正１】
【補正対象書類名】特許請求の範囲
【補正対象項目名】全文
【補正方法】変更
【補正の内容】
【特許請求の範囲】
【請求項１】
本体が筒状であり、一次側は給水源と接続され、二次側が発泡装置と接続されており、本体の途中に泡原液供給口を有する泡混合装置において、泡原液供給口付近の本体内壁に沿って移動可能で側面にオリフィスを有し本体内径よりも小径である筒が設置され、該筒は混合装置に流入される水量によって移動可能であり、オリフィスを通過して筒内に供給される泡原液の量を制御可能である泡原液供給制御手段が設置されていることを特徴とする泡混合装置。
【請求項２】
前記泡混合装置において、オリフィスの形状が楔形あるいは滴形になっていることを特徴とする請求項１記載の泡混合装置。
【請求項３】
前記泡混合装置において、筒の側面に穿設されているオリフィスの数が、混合装置の流入側に向かうに従い段階的に増加されていることを特徴とする請求項１記載の泡混合装置。
【手続補正２】
【補正対象書類名】明細書
【補正対象項目名】０００９
【補正方法】変更
【補正の内容】
【０００９】
上記の目的を達成するために、請求項１記載の発明は、本体が筒状であり、一次側は給水源と接続され、二次側が発泡装置と接続されており、本体の途中に泡原液供給口を有する泡混合装置において、泡原液供給口付近の本体内壁に沿って移動可能で側面にオリフィスを有し本体内径よりも小径である筒が設置され、該筒は混合装置に流入される水量によって移動可能であり、オリフィスを通過して筒内に供給される泡原液の量を制御可能である泡原液供給制御手段が設置されている泡混合装置である。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項２記載の発明は、前記泡混合装置において、オリフィスの形状が楔形あるいは滴形になっている請求項１記載の泡混合装置。
【手続補正５】
【補正対象書類名】明細書
【補正対象項目名】００１２
【補正方法】変更
【補正の内容】
【００１２】
請求項３記載の発明は、前記泡混合装置において、筒の側面に穿設されているオリフィスの数が、混合装置の流入側に向かうに従い段階的に増加されている請求項１記載の泡混合装置である。